(57)【要約】【課題】  胴部の表面にラベルを貼着するボトルとして、製造ライン中の所定の位置で、確実に、位置決めしてラベルを貼着可能としたボトルを提供すること。【解決手段】  口筒部と肩部と胴部とヒール部とからなり、胴部の表面にラベルを貼着するようにしたボトルにおいて、胴部は、断面形状が略多角形であり、ヒール部は、胴部の断面形状と対応する断面形状が偶数の略多角形の位置あわせ周壁と、位置あわせ周壁の下端に連設される底壁とを具え、位置あわせ周壁の対面の平行した面にガイドを当接させるようにしたことを特徴とする。【選択図】  図１
2007230600.tif 000002
【特許請求の範囲】
【請求項１】
口筒部と肩部と胴部とヒール部とからなり、胴部の表面にラベルを貼着するようにしたボトルにおいて、
胴部は、断面形状が略多角形であり、
ヒール部は、胴部の断面形状と対応する断面形状が偶数の略多角形の位置あわせ周壁と、位置あわせ周壁の下端に連設される底壁とを具え、
位置あわせ周壁の対面の平行した面にガイドを当接させるようにしたことを特徴とする位置決めしてラベルを貼着可能としたボトル。
【発明の詳細な説明】
【技術分野】
【０００１】
本発明は、位置決め可能としたボトル、とくに断面形状が略多角形に形成されたボトルの胴部の表面の所定の位置にラベルを貼着することが可能なボトルに関するものである。
【背景技術】
【０００２】
胴部の断面形状を必要に応じて略多角形で形成したボトルは従来より周知である。
また、商品表示などの表示部を印刷したラベルをシュリンクフィルムとして断面形状が略多角形の胴部の表面に被せ、加熱収縮させて貼着することは従来より知られている（例えば、特許文献１参照）。
【特許文献１】特開２０００−１０９０２９
【発明の開示】
【発明が解決しようとする課題】
【０００３】
しかしながら、上記特許文献１のボトルでは、ラベルの表示部をボトルの胴部の面の一つに来るようにレイアウトした場合、ラベルの貼着時に、ボトルの表面とラベルの表示部との位置合わせを行わないと、表示部が胴部の面の所定の位置からずれ、表示部の文字などが読み取りにくくなったりするという問題があった。
【０００４】
本発明は、上記の問題を解決することを課題として、胴部の表面にラベルを貼着するボトルとして、製造ライン中の所定の位置で、確実に、位置決めしてラベルを貼着可能としたボトルを提供することを目的とする。
【課題を解決するための手段】
【０００５】
本発明は、上記の問題を解決することを課題とし、位置決めしてラベルを貼着可能としたボトルとして、口筒部と肩部と胴部とヒール部とからなり、胴部の表面にラベルを貼着するようにしたボトルにおいて、胴部は、断面形状が略多角形であり、ヒール部は、胴部の断面形状と対応する断面形状が偶数の略多角形の位置あわせ周壁と、位置あわせ周壁の下端に連設される底壁とを具え、位置あわせ周壁の対面の平行した面にガイドを当接させるようにしたことを特徴とする構成を採用する。
【発明の効果】
【０００６】
胴部の表面にラベルを貼着するボトルにおいて、ヒール部に胴部の断面形状と対応する断面形状が偶数の略多角形の位置あわせ周壁とを具えたことにより、製造ライン中で位置あわせ周壁にガイドを当接させ、ボトルの位置あわせができるようになった。
また、ガイドが当接するのが、ボトルのヒール部の位置あわせ周壁であり、位置あわせ周壁は下端に底壁を連設されているため、保形性が優れており、ボトル自体を変形させることはない。
さらに、ガイドがボトルのヒール部に当接するので、ガイドでヒール部を挟み、固定させながらラベルをボトルの胴部に貼着することができる。
【発明を実施するための最良の形態】
【０００７】
次に、本発明の容器について、図面を参照して説明する。
図１において、Ａは合成樹脂により成形されたボトル、ＢはボトルＡの胴部に加熱収縮により貼着される商品表示が施されたシュリンクフィルムとしたラベルである。
【０００８】
ボトルＡは、図１、２に示すように、口筒部１と、口筒部１下端から下方に向かい拡径する断面形状が円形または多角形に形成された肩部２と、中央の断面形状が略六角形に形成された胴部３とヒール部４とからなっており、肩部２と胴部３の接続部には上横リブ５が、胴部３とヒール部４との接続部には下横リブ６が環状溝として配設されている。
【０００９】
胴部３は、上横リブ５の下端から連設され、上下端を円周端縁１０、１１とし、ボトルの支柱となる六つの縦リブ１２と、隣り合う縦リブ１２どうしの間に形成される六面の減圧吸収面１３とからなっている。
減圧吸収面１３は、長円状となっており、円周端縁１０、１１の上下端縁、および、縦リブ１２の側端縁から連続してやや傾斜する傾斜部１４と、傾斜部１４の中央に形成される内方に窪んだ凹部１５とが形成されている。
【００１０】
ヒール部４は、下横リブ６の下端から連設された円筒状の上部周壁２０と、上部周壁２０の下端から段部２１を介して連設される位置あわせ周壁２２と、位置あわせ周壁２２の下端より連設される底壁２３とからなっており、底壁２３には、周知のように底リブが放射状に設けられている。  
【００１１】
位置あわせ周壁２２は、胴部３の減圧吸収面１３と平行に形成された位置あわせ面２２ａにより、断面形状が略六角形に形成されている。
また、位置あわせ周壁２２は、下端より底壁２３が連設されているため、胴部３に比べ保形性に優れている。
【００１２】
ラベルＢは、図１、３に示すように、筒状のシュリンクフィルムをボトルＡの上方より被せ、加熱収縮によりボトルＡの胴部３表面に貼着され、かつ、断面形状が略六角形に形成された胴部３の面に合わせて商品表示等を最適にレイアウトした表示部Ｂａを具えている。
【００１３】
次に、本発明の容器の作用効果について説明する。
ボトルＡは成形後に製造ラインに載せられる。
図３に示すように、表示部Ｂａが施されたラベルＢをボトルＡに被せる前に、ガイドＧを両側からボトルＡのヒール部４の位置あわせ周壁２２に当てるようにライン上を搬送する。
ガイドＧを両側からボトルＡのヒール部４の位置あわせ周壁２２に当てることで、ガイドＧの一方が位置あわせ周壁２２の位置あわせ面２２ａのいずれか一面に当接し、他方のガイドＧが、当接した位置あわせ面２２ａの反対側の平行に形成された位置あわせ面２２ａに当接することで、ボトルＡが一定方向に並列されて位置合わせされる。
【００１４】
ボトルＡの方向が位置あわせされることで、表示部Ｂａが施されたラベルＢを一定方向でボトルＡの胴部３表面に被せ、加熱収縮により貼着することにより、図１に示すように、表示部Ｂａを所定の位置に貼着することができる。
【００１５】
両側のガイドＧがボトルＡのヒール部４の位置あわせ周壁２２に当接させることで、ボトルＡの位置あわせができるので、ガイドＧがボトルＡの胴部３に当接して凹ませ、ボトル自体を変形させることがない。
【００１６】
更に、ボトルＡのヒール部４の位置あわせ周壁２２にガイドＧが当接するので、ラベルＢをボトルＡの胴部３に被せ、貼着する際、ガイドＧが貼着の邪魔にならない。
このことにより、ガイドＧでボトルＡを挟み、固定したままラベルＢをボトルＡに貼着することができる。
【００１７】
上記実施形態のガイドＧは、ボトルＡの位置あわせ周壁２２に当接して、ボトルＡを一定方向に並列させるようにすればよいので、ガイドＧのボトルＡに対する弾撥力、構造などは適宜設定すればよい。
【００１８】
上記実施形態では、ボトルＡのヒール部４の位置あわせ周壁２２の断面形状を胴部３の断面形状にあわせて略六角形としたが、位置あわせ周壁２２の断面形状は、対面の位置あわせ面２２ａが平行であり、ガイドＧが当接することによりボトルＡが一定方向に向かされて位置合わせすることができればよいので、位置あわせ周壁２２の断面形状は、対面の位置あわせ面２２ａが平行になるような偶数の多角形であればよい。
また、位置あわせ周壁２２でボトルＡの位置あわせをできるため、ボトルの胴部の断面形状は、位置あわせを必要とするどのような形状でもよい。
したがって、本発明のボトルの肩部、胴部、およびヒール部の位置あわせ周壁の断面形状は、上記実施形態の構成に限定されない。
【００１９】
上記実施形態では、ラベルＢをボトルＡの胴部３に被せ、貼着するシュリンクフィルムとしたが、ラベルを表示部を印刷したシートにし、シートを任意の方向からボトルＡの胴部３に貼着するようにしても、ボトルＡのヒール部４の位置あわせ周壁２２により、ボトルＡの向きが位置あわせされることで、シートをボトルＡの胴部３の所定の個所に貼着することができる。
したがって、本発明のボトルの胴部にラベルを貼着する方法は、上記実施形態の構成に限定されない。
【産業上の利用可能性】
【００２０】
胴部の表面にラベルを貼着するボトルにおいて、ヒール部に具えた位置あわせ周壁により、ボトル自体を凹ませることなく、確実にボトルの位置あわせができる。
また、ボトルの胴部の断面形状がどのような形の容器でも、胴部に、位置あわせ周壁を具えたヒール部を連設すれば、ボトルの位置合わせができるので、飲料品、食料品、香料、薬品、の容器として、広く利用することができる。
【図面の簡単な説明】
【００２１】
【図１】本発明の実施形態の容器の立面図である。
【図２】本発明の実施形態のボトルの（ａ）は立面図、（ｂ）は下面図である。
【図３】本発明の実施形態の製造ライン中の（ａ）は要部の立面説明図、（ｂ）は要部の下面説明図ある。
【符号の説明】
【００２２】
Ａ              ボトル
Ｂ              ラベル
Ｂａ            表示部
Ｇ              ガイド
１              口筒部
２              肩部
３              胴部
４              ヒール部
５              上横リブ
６              下横リブ
１０、１１      円周端縁
１２            縦リブ
１３            減圧吸収面
１４            傾斜部
１５            凹部
２０            上部周壁
２１            段部
２２            位置あわせ周壁
２２ａ          位置あわせ面
２３            底壁
【図１】
2007230600.tif 000003
【図２】
2007230600.tif 000004
【図３】
2007230600.tif 000005